(57)【特許請求の範囲】
【請求項１】
無線通信システムにおけるモバイル装置の到達可能性を管理する方法であって、
前記モバイル装置が、ソースのコアネットワークノードから受信した第一バックオフタイマが実行中であるとき、緊急のパケットデータネットワーク（PDN）コネクションを確立する段階と；
前記モバイル装置が、第二トラッキングエリアから第一トラッキングエリアに入る段階であって、前記第二トラッキングエリアは、前記ソースのコアネットワークノードと関連付けられており、前記第一トラッキングエリアは、ターゲットのコアネットワークノードと関連付けられ、かつ、前記モバイル装置のトラッキングエリアのリストに存在しない、段階と；
前記モバイル装置が、前記ターゲットのコアネットワークノードへのトラッキングエリア更新（TAU）要求メッセージ又はTAU完了メッセージにおいて、前記第一バックオフタイマの残り時間又はバックオフインジケータを送信する段階であって、前記バックオフインジケータは、前記モバイル装置のバックオフ状態を示す、段階と；
を含む、方法。
【請求項２】
前記ターゲットのコアネットワークノードが、前記TAU要求メッセージ又は前記TAU完了メッセージを受け入れ、受信した前記第一バックオフタイマの残り時間に従って、移動体着信タイマと暗黙的デタッチタイマのうち少なくとも一つを設定する段階
をさらに含む、請求項１に記載の方法。
【請求項３】
前記第一バックオフタイマは、前記ソースのコアネットワークノードからの、アタッチ要求の拒否、TAU要求の拒否又はサービスの拒否に起因して実行中である、
請求項１に記載の方法。
【請求項４】
前記緊急のPDNコネクションが切断され、かつ、前記ターゲットのコアネットワークノードが輻輳していない場合に、前記ターゲットのコアネットワークノードが、前記バックオフインジケータに従って、デタッチ種別の情報要素（IE）における再アタッチ要求指示とともにデタッチ処理を開始する段階
をさらに含む、請求項１に記載の方法。
【請求項５】
前記緊急のPDNコネクションが切断され、前記ターゲットのコアネットワークノードが輻輳しており、かつ前記ターゲットのコアネットワークノードが前記モバイル装置から第二TAU要求メッセージを受信した場合に、前記ターゲットのコアネットワークノードが、前記モバイル装置へ、TAU拒否メッセージにおいて第二バックオフタイマを送信するか、あるいはTAU受容メッセージにおいて長い期間を含む周期的なTAUタイマを送信する段階
をさらに含む、請求項１に記載の方法。
【請求項６】
無線通信システムにおけるモバイル装置の到達可能性を管理する方法であって、前記モバイル装置が、ソースのコアネットワークノードから受信したバックオフタイマが実行中であるとき、緊急のPDNコネクションを確立する、方法であって、
ターゲットのコアネットワークノードが、前記モバイル装置からトラッキングエリア更新（TAU）要求メッセージを受信し、前記ソースのコアネットワークノードから前記モバイル装置の情報を検索した場合に、前記ソースのコアネットワークノードが、前記バックオフタイマの残り時間又はバックオフインジケータを、前記ターゲットのコアネットワークノードへ送信する段階であって、
前記バックオフインジケータは、前記モバイル装置のバックオフ状態を前記ターゲットのコアネットワークノードへ示す、段階
を含む、方法。
【請求項７】
前記ターゲットのコアネットワークノードが、前記バックオフタイマの残り時間に従って、移動体着信タイマと暗黙的デタッチタイマのうち少なくとも一つを設定する段階
をさらに含む、請求項６に記載の方法。
【請求項８】
前記バックオフタイマは、前記ソースのコアネットワークノードからの、アタッチ要求の拒否、TAU要求の拒否又はサービスの拒否に起因して実行中である、
請求項６に記載の方法。
【請求項９】
前記緊急のPDNコネクションが切断され、かつ、前記ターゲットのコアネットワークノードが輻輳していない場合に、前記ターゲットのコアネットワークノードが、前記バックオフインジケータに従って、デタッチ種別の情報要素（IE）における再アタッチ要求指示とともにデタッチ処理を開始する段階
をさらに含む、請求項６に記載の方法。
【請求項１０】
前記緊急のPDNコネクションが切断され、前記ターゲットのコアネットワークノードが輻輳しており、かつ、前記ターゲットのコアネットワークノードが前記モバイル装置から第二TAU要求メッセージを受信した場合に、前記ターゲットのコアネットワークノードが、前記モバイル装置へ、TAU拒否メッセージにおいて新たなバックオフタイマを送信するか、あるいはTAU受容メッセージにおいて長い期間を含む新たな周期的なTAUタイマを送信する段階
をさらに含む、請求項６に記載の方法。
【請求項１１】
無線通信システムにおけるモバイル装置の到達可能性を管理する方法であって：
前記モバイル装置が、ソースのコアネットワークノードから受信した第一バックオフタイマが実行中であるとき、緊急のパケットデータネットワーク（PDN）コネクションを確立する段階と；
前記モバイル装置が、第二トラッキングエリアから第一トラッキングエリアに入る段階であって、
前記第二トラッキングエリアは、前記ソースのコアネットワークノードと関連付けられており、前記第一トラッキングエリアは、ターゲットのコアネットワークノードと関連付けられ、かつ前記モバイル装置のトラッキングエリアのリストに存在しない、段階と；
前記モバイル装置が、前記第一トラッキングエリアに入ることに応じて、第一トラッキングエリア更新（TAU）要求メッセージを前記ターゲットのコアネットワークノードへ送信する段階と；
前記モバイル装置が、前記第一バックオフタイマがまだ実行中である場合に前記第一バックオフタイマを停止し、さらに前記緊急のPDNコネクションが切断された場合に第二TAU要求メッセージを前記ターゲットのコアネットワークノードへ送信する段階と；
を有する、方法。
【請求項１２】
前記第一バックオフタイマは、前記ソースのコアネットワークノードからの、アタッチ要求の拒否、TAU要求の拒否又はサービスの拒否に起因して実行中である、
請求項１１に記載の方法。
【請求項１３】
前記第二TAU要求メッセージに応じて、前記ターゲットのコアネットワークノードが輻輳している場合に、前記ターゲットのコアネットワークノードが前記モバイル装置へ、TAU拒否メッセージにおいて第二バックオフタイマを送信するか、あるいはTAU受容メッセージにおいて長い期間を含む周期的なTAUタイマを送信する段階
をさらに含む、請求項１１に記載の方法。
【発明の詳細な説明】
【技術分野】
【０００１】
本出願は、無線通信システムにおいて用いられる方法及び関連する通信装置に関し、特に、無線通信システムにおける緊急のPDNコネクションを処理する方法に関する。
【背景技術】
【０００２】
3GPP  Rel-8規格及び／又は3GPP  Rel-9規格をサポートするLTE（long-term  evolution）システムは、UMTS（universal  mobile  telecommunications  system）の後継として、ユーザの増大する要求を満足し、UMTSの性能をさらに拡張するために、3GPP（3rd  Generation  Partnership  Project）によって開発されている。LTEシステムは、高いデータレート、低いレイテンシ、パケット最適化、並びに改善されたシステムの収容能力及びカバレージを提供する、新しい無線インタフェースと無線ネットワークアーキテクチャを含む。LTEシステムにおいて、進化型UTRAN（E-UTRAN）として知られる無線アクセスネットワークは、複数のユーザ端末（UE）と通信するための複数の進化型NB（eNB）を含み、非アクセス層（NAS）制御のために、移動体管理機能（MME）やサービングゲートェイ等を含む、コアネットワークと通信する。UMTSシステムにおいて、SGSN（Serving  GPRS  Support  Node）は、その地理的なサービスエリア内において、パケットのルーティングと転送、移動体管理（アタッチ／デタッチと位置管理）、論理リンク管理及び認証と課金機能を含む、モバイル装置に対する往復するデータパケットの配送についての責任を負う。MMEは、SGSNからMMEに向かうS3インタフェースを用いて、LTEと2G/3Gアクセスネットワークとの間のモビリティのための制御プレーンの機能をさらに提供する。
【０００３】
アクセスポイント名（APN）は、パケットデータコネクションを確立するために、LTEシステムとLTE-Aシステムにおいて用いられ、MMEによって管理される。さらに、APNは、パケットデータネットワーク（PDN）又はサービス種別（例えば、マルチメディアメッセージングサービス（MMS））を識別するために用いられる。ここで、PDN又はサービス種別は、パケットデータコネクションで配信される。
【０００４】
コアネットワークは、移動体着信タイマ（mobile  reachable  timer）、ページング進行ファクタ（paging  proceed  factor;  PPF）及び暗黙的デタッチタイマ（implicit  detach  timer）を用いることにより、移動体の到達可能性を管理する。コアネットワークは、移動体着信タイマによって、UEの定期的な追跡／ルーティング／位置エリア更新手続きを管理する。デフォルト設定では、移動体着信タイマは、周期的なTAU／RAU／LAUタイマ（periodic  TAU/RAU/LAU  timer）より僅かに大きく設定される。移動体着信タイマが満了した時、ネットワークは、PPFフラグをクリアして、暗黙的デタッチタイマを開始する。暗黙的デタッチタイマの値は、ネットワーク依存である。PPFのクリアによって、コアネットワークは、暗黙的デタッチタイマの期間中、UEを呼び出すことができない。暗黙的デタッチタイマが、UEがネットワークに接触する前に、満了した場合には、ネットワークは、UEを暗黙的にデタッチしなければならない。NASシグナリングコネクションがUEに対して確立された場合には、暗黙的デタッチタイマは停止されなければならない。
【０００５】
NASレベルの輻輳制御は、「APNベースの輻輳制御（APN  based  congestion  control）」と「一般的なNASレベルの移動体管理（General  NAS  level  Mobility  Management  control）」を含む。APNベースの輻輳制御は、UEと特定のAPNに関連付けられるEMMとESMのシグナリングの輻輳の回避と管理のために利用される。一般的なNASレベルの移動体管理を用いて、MMEは、一般的な輻輳条件の下で、NASレベルの移動体管理のシグナリング要求の拒否を使用することができる。
【０００６】
ネットワークの過大な付加又は輻輳により、NASレベルの移動体管理輻輳制御が適用される場合には、MMEは、アタッチ要求、トラッキングエリア更新（tracking  area  update;  TAU）、ルーティングエリア更新（a  routing  area  update;  RAU）、又はサービス要求を拒絶し、UEに移動体管理バックオフタイマを適用する。
【０００７】
輻輳制御がアクティブである場合には、MME/SGSNは、移動体管理バックオフタイマと、セッション管理バックオフタイマを保管する。次に、MME/SGSNは、保管されたバックオフタイマが満了する前の、そのAPNへの接続を対象とするUEからの、あらゆる後続の要求を即座に拒否することによって、保管されたバックオフタイマを実行する。
【先行技術文献】
【特許文献】
【０００８】
【特許文献１】欧州特許出願第１１００８７９４．７号明細書
【特許文献２】米国特許出願第１３／３７２５１４号明細書
【特許文献３】米国特許出願第１３／２８８９７３号明細書
【非特許文献】
【０００９】
【非特許文献１】3GPP  TS  23.401  V10.1.0  (2010-09)  Technical  Specification  3rd  Generation  Partnership  Project;  Technical  Specification  Group  Services  and  System  Aspects;  General  Packet  Radio  Service  (GPRS)  enhancements  for    Evolved  Universal  Terrestrial  Radio  Access  Network  (E-UTRAN)  access  (Release  10)
【非特許文献２】3GPP  TS  24.301  V10.0.0  (2010-09)  Technical  Specification  3rd  Generation  Partnership  Project;  Technical  Specification  Group  Core  Network  and  Terminals;  Non-Access-Stratum  (NAS)  protocol    for  Evolved  Packet  System  (EPS);    Stage  3  (Release  10)
【非特許文献３】3GPP  TS  24.008  V10.0.0  Technical  Specification  3rd  Generation  Partnership  Project;  Technical  Specification  Group  Core  Network  and  Terminals;  Mobile  radio  interface  Layer  3  specification;  Core  network  protocols;  Stage  3  (Release  10),  2010/09
【非特許文献４】3GPP  TSG-CT  WG1  Meeting  #67,  C1-104431,  Barcelona,  Spain,  11-15  October  2010
【非特許文献５】3GPP  TSG-SA  WG2  Meeting  #83,  S2-111253,  Salt  Lake  City,  USA,  21~25  February  2011
【非特許文献６】3GPP  TSG  SA  WG2  Meeting  #83,  S2-111204,  21~25  February  2011,  Salt  Lake  City,  Utah,  USA
【非特許文献７】3GPP  TSG-CT  WG1  Meeting  #70,  C1-111522,  Salt  Lake  City,  Utah  (USA),  21-25  February  2011
【非特許文献８】3GPP  TSG-CT  WG1  Meeting  #70,  C1-111164,  Salt  Lake  City,  Utah  (USA),  21-25  February  2011
【非特許文献９】3GPP  TSG-CT  WG1  Meeting  #70,  C1-110789,  Salt  Lake  City,  Utah  (USA),  21-25  February  2011
【非特許文献１０】3GPP  TSG-CT  WG1  Meeting  #70,  C1-110788,  Salt  Lake  City,  Utah  (USA),  21-25  February  2011
【非特許文献１１】3GPP  TSG-CT  WG1  Meeting  #69,  C1-110745,  Ljubljana  (Slovenia),  24~28  January  2011,    revision  of  C1-110183  and  C1-110486
【非特許文献１２】3GPP  TSG-CT  WG1  Meeting  #69,  C1-110744,  Ljubljana  (Slovenia),  24~28  January  2011,  revision  of  C1-110182  and  C1-110485
【非特許文献１３】ETSI  TS  124  008  V9.4.0  (2010-10),  Technical  Specification  "Digital  cellular  telecommunications  system  (Phase  2+);  Universal  Mobile  Telecommunications  System  (UMTS);  LTE;  Mobile  radio  interface  Layer  3  specification;  Core  network  protocols;  Stage  3  (3GPP  TS  24.008  version  9.4.0  Release  9)",  XP014061450,  cover  page  +  page  1-610.
【非特許文献１４】Ericsson,  ST-Ericsson,  "Evaluation  and  conclusion  of  overload  congestion  control",  3GPP  TSG  SA  WG2  Meeting  #79electronic,  TD  S2-103135,  Elbonia,  6-10  July,  2010,  XP050458220,  P.  1-3.
【発明の概要】
【発明が解決しようとする課題】
【００１０】
しかしながら、UEは、移動体管理バックオフタイマ又はセッション管理バックオフタイマが実行中であっても、そのAPNと、高優先度のサービス又は緊急サービスのための、移動体管理処理又はセッション管理処理を開始することができる。この場合において、APNは依然として輻輳しており、高優先度のサービス又は緊急サービスを提供するためのリソースを有していないため、MMEは、その高優先度のサービス又は緊急サービスを拒否し、その高優先度のサービス又は緊急サービスへのアクセスへの遅延が生ずる。従って、高優先度のサービス又は緊急サービスの遅延によって、厄介な自体が生じる可能性がある。
【００１１】
MME/SGSNが、NASレベルの輻輳制御を実行する場合に、MME/SGSNは、移動体管理バックオフ時間とセッション管理バックオフ時間を保管する。次に、MME/SGSNは、UEからの、あらゆる後続のMM/SM要求を拒否し、MM/SMバックオフタイマを割り当てることによって、保管されたバックオフタイマを実行する。しかしながら、MME/SGSNは、UEごとの、EMM/ESM（EPS移動体管理（EPS  Mobility  Management），EMM／EPSセッション管理（EPS  Session  Management），ESM）において、MM/SMバックオフタイマを保管しない。
【００１２】
正常にアタッチされたUEに対して、TAU拒否又はサービス拒否によって、MMバックオフタイマを用いて拒否される。MMバックオフタイマが実行中であるとき、UEは、正常にアタッチされるが（EMM-Registered状態）、ECM-IDLEモードになる。MMバックオフタイマが実行中であっても、バックオフUEは、緊急APN（emergency  APN.）への緊急の要求種別を用いて、PDNコネクション要求による緊急呼び出しを行うことができる。NASシグナリングコネクションが、緊急PDNコネクション要求によって構成され、UEがECM-IDLEモードからECM-Connectedモードへ戻った場合に、ネットワークは、移動体着信タイマを停止する。
【００１３】
UEが、MMバックオフタイマ（MM  back-off  ;MMBK）により、NAS  MM要求メッセージによって拒否されたとすると、そのバックオフUEは、MMバックオフタイマが実行中に、緊急PDNコネクションを確立する。緊急でないPDNコネクションと、接続済モードの緊急PDNコネクションを有するバックオフUEは、新たなトラッキングエリアへ移動した場合に、TAリストにない新たなトラッキングエリアに入ったとき、ハンドオーバ処理の前に、TAUを要求する。移動体着信タイマ（MRT）は、MMの中に保管されておらず、ソースのMME/SGSNからターゲットのMME/SGSNへ送信されていないため、ターゲットのMME/SGSNは、バックオフUEの到達可能性を管理する方法を知らず、MRTが満了した場合に、バックオフUEを暗黙的にデタッチしてしまう可能性がある。
【課題を解決するための手段】
【００１４】
無線通信システムにおけるモバイル装置の到達可能性を管理する方法が提供される。
【００１５】
無線通信システムにおけるモバイル装置の到達可能性を管理する方法が開示される。当該方法は、ソースのコアネットワークノードから受信した第一バックオフタイマが実行中であるとき、モバイル装置が、パケットデータネットワーク（PDN）の緊急コネクションを確立する段階と；前記モバイル装置が、第二トラッキングエリアから第一トラッキングエリアに入る段階であって、前記第二トラッキングエリアは、前記ソースのコアネットワークノードと関連付けられており、前記第一トラッキングエリアは、ターゲットのコアネットワークノードと関連付けられ、かつ前記モバイル装置のトラッキングエリアのリストに存在しない、段階と；前記モバイル装置が、前記ターゲットのコアネットワークノードへのトラッキングエリア更新（TAU）要求メッセージ又はTAU完了メッセージにおいて、前記第一バックオフタイマの残り時間又はバックオフインジケータを送信する段階であって、前記バックオフインジケータは、前記モバイル装置のバックオフ状態を示す、段階と；を含む。
【００１６】
無線通信システムにおけるモバイル装置の到達可能性を管理する方法が開示される。ここで、ソースのコアネットワークノードから受信したバックオフタイマが実行中である場合に、前記モバイル装置は、緊急のPDNコネクションを確立する。当該方法は、ターゲットのコアネットワークノードが、モバイル装置からトラッキングエリア更新（TAU）要求メッセージを受信し、ソースのコアネットワークノードから前記モバイル装置の情報を検索した場合に、前記ソースのコアネットワークノードが、バックオフタイマの残り時間又はバックオフインジケータを、前記ターゲットのコアネットワークノードへ送信する段階であって、前記バックオフインジケータは、前記モバイル装置のバックオフ状態を前記ターゲットのコアネットワークノードへ示す、段階を含む。
【００１７】
無線通信システムにおけるモバイル装置の到達可能性を管理する方法が開示される。当該方法は、モバイル装置が、ソースのコアネットワークノードから受信した第一バックオフタイマが実行中であるとき、パケットデータネットワーク（PDN）の緊急コネクションを確立する段階と；前記モバイル装置が、第二トラッキングエリアから第一トラッキングエリアに入る段階であって、前記第二トラッキングエリアは、前記ソースのコアネットワークノードと関連付けられており、前記第一トラッキングエリアは、ターゲットのコアネットワークノードと関連付けられ、かつ前記モバイル装置のトラッキングエリアのリストに存在しない、段階と；前記モバイル装置が、前記第一トラッキングエリアに入ることに応じて、第一トラッキングエリア更新（TAU）要求メッセージを前記ターゲットのコアネットワークノードへ送信する段階と；前記モバイル装置が、前記第一バックオフタイマがまだ実行中である場合に前記第一バックオフタイマを停止し、さらに前記緊急のPDNコネクションが切断された場合に第二TAU要求メッセージを前記ターゲットのコアネットワークノードへ送信する段階と；を含む。
【００１８】
本発明のこれらの目的及び他の目的は、当業者が、多様な図面において示される、好ましい実施形態についての、以下の詳細な説明を読んだ後に、明らかとなるであろう。
【図面の簡単な説明】
【００１９】
【図１】例示的な移動体通信環境の概略図。
【図２】例示的な処理のフローチャート。
【図３】例示的な処理のフローチャート。
【図４】例示的な処理のフローチャート。
【図５】例示的な処理のフローチャート。
【図６】例示的な処理のフローチャート。
【発明を実施するための形態】
【００２０】
本願は、米国仮出願番号６１／４５２，１７４（２０１１年３月１４日出願、「Method  to  handle  periodic  timer,  mobile  reachability  timer,  and  MM  backoff  timer」）と、米国仮出願番号６１／４７５，６８１（２０１１年４月１５日出願、「Method  to  handle  periodic  timer,  mobile  reachability  timer,  and  MM  backoff  timer」）と、米国仮出願番号６１／４８３，７６１（２０１１年５月９日出願、「Method  to  handle  mobile  reachable  timer  for  emergency  PDN  connection  during  running  MM  backoff  timer」）と、米国仮出願番号６１／５４２，７７９（２０１１年１０月３日出願、「Method  of  handover  handling  for  a  back-off  UE  with  emergency  PDN  connection」）の利益を主張するものであり、それらの内容は、完全な形でここに組み込まれる。
【００２１】
図１は、本発明の一実施形態による、モバイル通信環境１００を表すブロック図である。モバイル通信環境１００において、モバイル通信装置は、無線サービスを得るために、サービスネットワーク１２０へ無線で接続される。サービスネットワーク１２０は、アクセスネットワーク（又は無線アクセスネットワークと呼ばれる）１２１と、コアネットワーク１２２を含む。サービスネットワーク１２０は、GSM（登録商標）（Global  System  for  Mobile  Communication）、UMTS（Universal  Mobile  Telecommunications  System）、またはEPS（Evolved  Packet  System）技術に従うネットワークであってもよい。アクセスネットワーク１２１は、GSM（登録商標）技術においてはGERAN（GSM（登録商標）  Edge  Radio  Access  Network）、WCDMA/HSPA技術においてはUTRAN（UMTS  Terrestrial  Radio  Access  Network）、又はLTE/LTE-Advanced技術においてはE-UTRAN（Evolved-UTRAN）であってもよい。また、コアネットワーク１２２は、GSM（登録商標）/UMTSシステムにおけるGSM（登録商標）コア又はGPRS（General  Packet  Radio  Service）コア、又はEPSシステムにおけるEPC（Evolved  Packet  Core）であってもよい。モバイル通信装置１１０は、サービスネットワーク１２０への送信及びサービスネットワーク１２０からの受信についての、無線通信の機能を実行するための無線モジュール１１１と、該無線モジュール１１１の演算を制御するための制御モジュール１１２と、マンマシンインタフェース（MMI）として機能するディスプレイ措置及び／又はキーパッド、アプリケーションや通信プロトコルのプログラムコードを保管する記憶装置、あるいはその他の装置のような、他の機能部品を含む。図示しないが、加入者識別カードが、制御モジュール１１２と結合されて提供されてもよい。加入者識別カードは、IMSI（International  Mobile  Subscriber  Identity）と、身元確認とサービスネットワークとの認証のために用いられるセキュリティキーと、等価なPLMNリスト（Equivalent  PLMN  list）及び禁止PLMNリスト（Forbidden  PLMN  list）のような、サービスネットワークとの通信の間に取得される、他の処理に関連するデータとを保管する。加入者識別カードは、加入者識別モジュール（Subscriber  Identity  Module;  SIM）カード又はユニバーサルSIM（USMI）カードであってもよい。
【００２２】
以下の実施形態において、サービスネットワーク１２０は、特定のPLMNに属するGSM（登録商標）/UMTS/EPSネットワークであってもよく、モバイル通信装置１１０は、モバイルステーション（MS）又はユーザ端末（UE）であってもよい。UMTS/EPSネットワークは、3GPP  TS  23.060/TS  23.401仕様、3GPP  TS  24.008/TS  24.301仕様、3GPP  TS  23.122及び／又は他の関連するUMTS/EPS仕様に従う。利用される技術に基づいて、移動体管理（Mobility  Management;  MM）処理のメッセージは、例えば、ロケーションエリア更新（Location  Area  Update）に対してMMメッセージ、ルーティングエリア更新（Routing  Area  Update）に対してGMMメッセージ、トラッキングエリア更新に対してEPS移動体管理（EPS  Mobility  Management;  EMM）のように、GSM（登録商標）/UMTS/EPS技術にそれぞれ対応してもよい。さらに、TAU/RAU処理は、組み合わされたTA/LA処理又は組み合わされたRA/LA処理であってもよい。該処理において、TAU/RAU  REQUESTメッセージは、モバイル通信装置１１０が、パケット交換ドメインと回線交換ドメインに、それぞれTA/RAとLAの更新の実行を望むことを示す。アタッチ処理は、GSM（登録商標）/UMTSシステムにおける回線交換ドメインのサービスか、UMTS/EPSシステムにおけるパケット交換ドメインのサービスのための、ATTACH  REQUESTメッセージであってもよい。さらに、アタッチ処理は、組み合わされたアタッチ処理であってもよい。該処理において、ATTACH  REQUESTメッセージは、モバイル通信装置１１０が、モバイル通信サービスのためのサービスネットワークを用いて、パケットデータセッションと、回線交換ドメインサービスの開始を望むことを示す。
【００２３】
周期的なトラッキング／ルーティングエリア更新（TAU/RAU）は、モバイル通信装置１１０の利用可能性をコアネットワーク１２２へ周期的に通知するために用いられる。この処理は、周期的なトラッキング／ルーティングエリア更新タイマ（タイマT3412/T3312）によって、モバイル通信装置１１０において制御される。タイマT3412/T3312の値は、コアネットワーク１２２によって、ATTACH  ACCEPTメッセージの中で、モバイル通信装置１１０へ送信され、さらにTRACKING/ROUTING  AREA  UPDATE  ACCEPTメッセージの中で送信され得る。モバイル通信装置１１０は、新たな値が受信されるまで、この値を、当該モバイル通信装置１１０に割り当てられたトラッキング／ルーティングエリアのリストの、全てのトラッキング／ルーティングエリアにおいて適用しなければならない。さらに、コアネットワーク１２２は、拡張された、周期的なTAU/RAUタイマ（T3412ext/T3312ext）も送信することができる。そのタイマは、コアネットワーク上のシグナリングのいくらかをオフロードするための、より長い期間を有する。UEは、ATTACH/TAU/RAU  ACCEPTメッセージからT3412ext/T3312extを受信した場合には、この値をT3412/T3312へ適用する。二つの別個のタイマ（タイマT3412/T3312）は、利用可能性のコアネットワーク１２２への通知（例えば、全てがコアネットワークノードである、MME/SGSN/MSC）と、コアネットワーク１２２の更新（MME/SGSN）のために、独立してUEで動作する。APN（アクセスポイントノード）ベースの輻輳又は一般的なNASレベルの移動体管理の複数が生じた場合には、コアネットワーク１２２（例えば、MME/SGSN）は、アタッチ要求、トラッキングエリア更新（TAU）、ルーティングエリア更新（RAU）又はサービス要求を拒否し、コアネットワーク１２２は、移動体管理（Mobility  Management;  MM）バックオフタイマを用いて、モバイル通信装置１１０に応答する。
【００２４】
正常にアタッチされたモバイル通信装置１１０（EMM-Registered状態）は、トラッキングエリア更新の拒否又はサービスの拒否により、MMバックオフタイマを用いて、拒否を受け取る。モバイル通信装置１１０は、MMバックオフタイマが実行中である場合には、正常にアタッチされるが、ECM-IDLEモードとなる。MMバックオフタイマが実行中である場合であっても、バックオフ動作中のモバイル通信装置１１０は、緊急の要求種別を含むPDNコネクション要求により、コアネットワーク１２２へ緊急呼び出しをすることができる。
【００２５】
図２は、例示的な処理２０のフローチャートである。処理２０は、UEの到達可能性を管理するために用いられる。UEは、モバイル通信環境１００におけるモバイル通信装置１１０であってもよい。UEは、正常にアタッチされ、アタッチ／TAU／サービス要求の拒否により、MMバックオフタイマが実行中である。処理２０は、以下のステップを含む：
ステップ２００：開始
ステップ２０２：UEは、MMバックオフタイマを含むNAS  MM要求メッセージによって拒否され、MMバックオフタイマを開始する
ステップ２０４：UEは、MMバックオフタイマの実行中に、緊急のPDNコネクションを確立する
ステップ２０６：UEは、現在のトラッキングエリアから移動して、UEのトラッキングエリアのリストにない、新たなトラッキングエリアに入る
ステップ２０８：UEは、トラッキングエリア更新（TAU）要求メッセージ又はTAU完了メッセージにおいて、MMバックオフタイマの残り時間を、ターゲットのMME/SGSNへ送信する
ステップ２１０：終了
【００２６】
処理２０によれば、UEは、アタッチ／TAU／サービス要求の拒否によって、NAS  MM拒否メッセージにより拒否され、MMバックオフタイマを開始する。バックオフ動作中のUEは、MMバックオフタイマが実行中に、緊急のPDNコネクションを確立する。UEは、緊急のPDNコネクションと、少なくとも一つの緊急でないPDNコネクションを有する。ここで、少なくとも一つの緊急のPDNコネクションはアクティブである。すなわち、UEは、接続済のモード（connected  mode）であり、現在のトラッキングエリアから出て、新たなトラッキングエリアに入る。UEは、トラッキングエリアリストにない、ターゲットのトラッキングエリアに入るとき、MMバックオフタイマの残り時間を含む、TAU要求／管理用メッセージを送信する。
【００２７】
同様に、ターゲットのMME/SGSNは、TAU要求／完了メッセージを受け入れ、受信したMMバックオフタイマの残り時間に基づいて、移動体着信タイマ及び／又は暗黙的デタッチタイマを設定する。この方法により、ターゲットのMME/SGSNは、緊急のPDNコネクションが開放され、かつMMバックオフタイマがバックオフUE上でまだ実行中である場合に、適切に、バックオフUEの到達可能性を管理することができる。
【００２８】
図３は、例示的な処理３０のフローチャートである。処理３０は、UEの到達可能性を管理するために用いられる。UEは、モバイル通信環境１００におけるモバイル通信装置１１０であってもよい。UEは、正常にアタッチされ、アタッチ／TAU／サービス要求の拒否により、MMバックオフタイマが実行中である。処理３０は、以下のステップを含む：
ステップ３００：開始
ステップ３０２：UEは、MMバックオフタイマを含むNAS  MM要求メッセージによって拒否される
ステップ３０４：UEは、MMバックオフタイマの実行中に、緊急のPDNコネクションを確立する
ステップ３０６：UEは、現在のトラッキングエリアから移動して、UEのトラッキングエリアのリストにない、新たなトラッキングエリアに入る
ステップ３０８：UEは、トラッキングエリア更新（TAU）要求メッセージ又はTAU完了メッセージにおいて、バックオフインジケータを、ターゲットのMME/SGSNへ送信する
ステップ３１０：開始
【００２９】
処理３０によれば、UEは、アタッチ／TAU／サービス要求の拒否によって、NAS  MM拒否メッセージにより拒否され、MMバックオフタイマを開始する。バックオフ動作中のUEは、MMバックオフタイマが実行中に、緊急のPDNコネクションを確立する。UEは、緊急のPDNコネクションと、少なくとも一つの緊急でないPDNコネクションを有する。ここで、少なくとも一つの緊急のPDNコネクションはアクティブである。すなわち、UEは、接続済のモード（connected  mode）であり、現在のトラッキングエリアから出て、新たなトラッキングエリアに入る。UEは、トラッキングエリアリストにない、ターゲットのトラッキングエリアに入るとき、TAU要求／完了メッセージにおいて、ターゲットのMME/SGSMへ、バックオフインジケータを送信する。バックオフインジケータは、ターゲットのMME/SGSNへ、UEのバックオフ状態を示す。
【００３０】
本開示書のいくつかの例において、緊急のPDNコネクションが切断され、バックオフインジケータがアクティブ（すなわち、MMバックオフタイマがモバイル装置で実行中）である場合に、ターゲットのMME/SGSNは、輻輳していないとき、UEのMMバックオフタイマを停止させるために、デタッチ種別（Detach  type）IEにおいて、再アタッチ要求指示（re-attach  required  indication）とともに、デタッチ処理を開始する。
【００３１】
他の例において、緊急のPDNコネクションが切断され、緊急でないPDNコネクションが切断されていないがインアクティブである場合に、UEは、MMバックオフタイマがまだ実行中であるとき、MMバックオフタイマを停止し、別のTAU要求を、ターゲットMME/SGSNへ送信する。ターゲットMME/SGSMが輻輳していない場合に、ターゲットのMME/SGSNは、別のTAU要求に応じて、TAU拒否メッセージ（TAU  reject  message）において新たなMMバックオフタイマか、あるいはTAU受容メッセージ（TAU  accept  message）においてより長い期間（例えば、T3412ext）を含む新たな周期的なTAUタイマ（periodic  TAU  timer）を、UEへ送信することができる。結果として、ターゲットのMME/SGSNは、移動体の到達可能性を適切に管理することができる。
【００３２】
図４は、例示的な処理４０のフローチャートである。処理４０は、UEの到達可能性を管理するために用いられる。UEは、モバイル通信環境１００におけるモバイル通信装置１１０であってもよい。ソースのMME/SGSN及びターゲットのMME/SGSNは、コアネットワーク１２２であってもよい。UEは、正常にアタッチされ、アタッチ／TAU／サービス要求の拒否により、MMバックオフタイマが実行中である。処理４０は、以下のステップを含む：
ステップ４００：開始
ステップ４０２：ターゲットのMME/SGSNは、UEからTAU要求を受信する
ステップ４０４：ターゲットのMME/SGSNは、TAU要求を受信した場合に、ソースのMME/SGSNから、UEの情報を検索する
ステップ４０６：ソースのMME/SGSNは、MMバックオフタイマの残り時間を、ターゲットのMME/SGSNへ送信する
ステップ４０８：ターゲットのMME/SGSNは、MMバックオフタイマの残り時間に従って、UEに対して移動体着信タイマ及び／又は暗黙的デタッチタイマを設定する
ステップ４１０：終了
【００３３】
処理４０によれば、UEは、アタッチ／TAU／サービス要求の拒否によって、NAS  MM拒否メッセージにより拒否され、MMバックオフタイマを開始する。MME/SGSNは、MMバックオフタイマを保管する。バックオフUEは、MMバックオフタイマが実行中に、緊急のPDNコネクションを確立する。UEは、緊急のPDNコネクションと、少なくとも一つの緊急でないPDNコネクションを有する。ここで、少なくとも一つの緊急のPDNコネクションはアクティブである。すなわち、UEは、接続済のモード（connected  mode）である。UEは、現在のトラッキングエリアから移動して、UEのトラッキングエリアリストにない、新たなトラッキングエリアに入る場合に、TAU要求をネットワークへ送信する。ターゲットのMME/SGSNは、TAU要求を受信すると、ソースのMME/SGSNから、バックオフUEの情報（例えば、移動体管理状況）を検索する。次に、ソースのMME/SGSNは、MMバックオフタイマの残り時間を、ターゲットのMME/SGSNへ送信する。ターゲットのMME/SGSNは、MMバックオフタイマの残り時間に従って、UEに対して、移動体着信タイマ及び／又は暗黙的デタッチタイマを設定する。
【００３４】
ターゲットのMME/SGSNは、緊急のPDNコネクションを有するバックオフUEに対するTAU処理の間に、ソースのMME/SGSNから、MMバックオフタイマの残り時間を受信するため、周期的なTAUタイマとMMバックオフタイマとを比較することかでき、必要となる、移動体の到達可能性の管理を継続することができる。緊急のPDNコネクションが開放され、MMバックオフタイマがバックオフUE上でいまだに実行中である場合にも、ターゲットのMME/SGSNは、受信した、MMバックオフタイマの残り時間に基づいて、バックオフUEの到達可能性を適切に管理することができる。
【００３５】
図５は、例示的な処理５０のフローチャートである。処理５０は、UEの到達可能性を管理するために用いられる。UEは、モバイル通信環境１００におけるモバイル通信装置１１０であってもよい。ソースのMME/SGSN及びターゲットのMME/SGSNは、コアネットワーク１２２であってもよい。UEは、正常にアタッチされ、アタッチ／TAU／サービス要求の拒否により、MMバックオフタイマが実行中である。処理５０は、以下のステップを含む：
ステップ５００：開始
ステップ５０２：ターゲットのMME/SGSNは、UEからTAU要求を受信する
ステップ５０４：ターゲットのMME/SGSNは、TAU要求を受信した場合に、ソースのMME/SGSNから、UEの情報を検索する
ステップ５０６：ソースのMME/SGSNは、バックオフインジケータを、ターゲットのMME/SGSNへ送信する
ステップ５０８：ターゲットのMME/SGSNは、UEに対して移動体着信タイマ及び／又は暗黙的デタッチタイマを設定する
ステップ５１０：終了
【００３６】
処理５０によれば、UEは、アタッチ／TAU／サービス要求の拒否によって、NAS  MM拒否メッセージにより拒否され、MMバックオフタイマを開始する。MME/SGSNは、バックオフUEに対して、バックオフ状態を示す、バックオフインジケータを設定する。バックオフUEは、MMバックオフタイマが実行中に、緊急のPDNコネクションを確立する。UEは、緊急のPDNコネクションと、少なくとも一つの緊急でないPDNコネクションを有する。ここで、少なくとも一つの緊急のPDNコネクションはアクティブである。すなわち、UEは、接続済のモード（connected  mode）である。UEは、現在のトラッキングエリアから移動して、UEのトラッキングエリアリストにない、新たなトラッキングエリアに入る。ターゲットのMME/SGSNは、TAU要求を受信すると、ソースのMME/SGSNから、バックオフUEの情報（例えば、移動体管理状況）を検索する。次に、ソースのMME/SGSNは、バックオフインジケータを、ターゲットのMME/SGSNへ送信する。バックオフインジケータは、UEのバックオフ状態を、ターゲットのMME/SGSNに示す。
【００３７】
本開示書のいくつかの例において、バックオフインジケータがアクティブであるが、ターゲットのMME/SGSNが輻輳していない場合に、ターゲットのMME/SGSNは、緊急のPDNコネクションが切断されているとき、UE上のMMバックオフタイマを停止させるために、デタッチ種別IEにおいて、再アタッチ要求指示（re-attach  required  indication）とともに、デタッチ処理を開始する。
【００３８】
他の例において、緊急のPDNコネクションが切断され、緊急でないPDNコネクションが切断されていないがインアクティブである場合に、UEは、MMバックオフタイマがまだ実行中であるとき、MMバックオフタイマを停止し、別のTAU要求を、ターゲットMME/SGSNへ送信する。ターゲットMME/SGSMが輻輳していない場合に、ターゲットのMME/SGSNは、別のTAU要求に応じて、TAU拒否メッセージにおいて新たなMMバックオフタイマか、あるいはTAU受容メッセージにおいてより長い期間（例えば、T3412ext）を含む新たな周期的なTAUタイマを、UEへ送信することができる。結果として、移動体の到達可能性の状態を、ターゲットのMME/SGSNとUEとの間で同期することができる。
【００３９】
ターゲットのMME/SGSNは、緊急のPDNコネクションを有するバックオフUEに対するTAU処理の間に、ソースのMME/SGSNから、バックオフインジケータを受信するため、ターゲットのMME/SGSNにおける輻輳状態に従って、MMバックオフタイマを実行中のUEを管理する方法を決定することができる。
【００４０】
図６は、例示的な処理６０のフローチャートである。処理６０は、UEの到達可能性を管理するために用いられる。UEは、モバイル通信環境１００におけるモバイル通信装置１１０であってもよい。UEは、正常にアタッチされ、アタッチ／TAU／サービス要求の拒否により、MMバックオフタイマが実行中である。処理６０は、以下のステップを含む：  
ステップ６００：開始
ステップ６０２：UEは、MMバックオフタイマを含むNAS  MM要求メッセージによって拒否される  
ステップ６０４：UEは、MMバックオフタイマの実行中に、緊急のPDNコネクションを確立する  
ステップ６０６：UEは、現在のトラッキングエリアから移動して、UEのトラッキングエリアのリストにない、新たなトラッキングエリアに入る  
ステップ６０８：UEは、新たなトラッキングエリアへ入ったことに応じて、トラッキングエリア更新（TAU）要求メッセージ又はTAU完了メッセージを、ターゲットのMME/SGSNへ送信する  
ステップ６１０：UEは、緊急のPDNコネクションが切断された場合に、MMバックオフタイマが依然として実行中であるとき、MMバックオフタイマを停止し、別のTAU要求メッセージをターゲットのMME/SGSNへ送信する  
ステップ６１２：終了
【００４１】
処理６０において、UEは、アタッチ／TAU／サービス要求の拒否によって、NAS  MM拒否メッセージにより拒否される。UEは、緊急のPDNコネクションと、少なくとも一つの緊急でないPDNコネクションを有する。ここで、少なくとも一つの緊急のPDNコネクションはアクティブである。すなわち、UEは、接続済のモード（connected  mode）である。そして、UEは、現在のトラッキングエリアから、新たなトラッキングエリアへ移動する。
【００４２】
いくつかの例において、ステップ６１０は、緊急のPDNコネクションが切断され、緊急でないPDNコネクションが接続されていないがインアクティブである場合に、実行される。次に、ターゲットのMME/SGSMが輻輳した場合に、ステップ６０８におけるTAU要求メッセージの送信に応じて、ターゲットのMME/SGSNは、TAU拒否メッセージにおいて新たなMMバックオフタイマか、あるいはTAU受容メッセージにおいてより長い期間（例えば、T3412ext）を含む新たな周期的なTAUタイマを、UEへ送信することができる。結果として、移動体の到達可能性の状態を、ターゲットのMME/SGSNとUEとの間で同期することができる。
【００４３】
要約すれば、正常にアタッチされたUEは、アタッチ／TAU／サービス要求の拒否によって実行中のMMバックオフタイマを有する。そのバックオフUEは、緊急のPDNコネクションと、少なくとも一つの緊急でないPDNコネクションを有する。ここで、少なくとも一つの緊急のPDNコネクションはアクティブである。すなわち、そのUEは、接続済のモード（connected  mode）である。そして、そのUEは、現在のトラッキングエリアから、そのUEのトラッキングエリアのリストにない、新たなトラッキングエリアへと移動する。緊急のPDNコネクションと、緊急でないPDNコネクションを有するUEは、トラッキングエリアのリストにない、ターゲットのトラッキングエリアに入るとき、MMバックオフタイマの残り時間又はバックオフインジケータを含む、TAU要求／完了メッセージを、ターゲットのMME/SGSNに送信する。他の例において、ソースのMME/SGSNは、ターゲットMME/SGSNが、ソースのMME/SGSNから、バックオフUEのユーザ情報を検索した場合に、MMバックオフタイマの残り時間又はバックオフインジケータをターゲットMME/SGSNへ送信する。MMバックオフタイマの残り時間又はバックオフインジケータを用いて、ターゲットのMME/SGSNは、UEの到達可能性を適切に管理することができる。
【００４４】
当業者は、本発明の教示を保ったまま、当該装置及び方法の多数の変更及び代替に容易に気がつくだろう。従って、上の開示は、添付されたクレームの境界によってのみ制限されるよう解釈されるべきである。
【符号の説明】
【００４５】
１１０  モバイル通信装置
１１２  コントローラモジュール
１１１  無線モジュール
１２１  アクセスネットワーク
１２２  コアネットワーク
【図１】
0005292487.tif 000002
【図２】
0005292487.tif 000003
【図３】
0005292487.tif 000004
【図４】
0005292487.tif 000005
【図５】
0005292487.tif 000006
【図６】
0005292487.tif 000007